(57)【要約】【課題】  従来の装置は、作業者が、玉掛けワイヤの吊り角度が適正となっているか否かを確認する手段がないため、吊り下げ作業時に危険を伴うことがあった。【解決手段】  略逆Ｖ字状の玉掛けワイヤ離間用部材１の頂部に、吊り下げ手段１ａを設け、前記頂部を支点として左右に延設されたアーム１ｂ１，１ｂ２のなす角度を開閉可能にするとともに、左右アーム１ｂ１，１ｂ２の所要位置に、玉掛けワイヤを挿通する挿通部１ｃをそれぞれ設け、さらに、左右アーム１ｂ１，１ｂ２の所定の高さ位置に、その高さ位置において左右アーム１ｂ１，１ｂ２の外側全周を囲む細長リング状の吊り角度確認用部材２を係合させた構成の玉掛けワイヤの絡み防止装置Ｋを用いる。【効果】  作業者は、吊り角度確認用部材２の位置を目で確認することにより、玉掛けワイヤの吊り角度が安全基準を超えているか否かを容易に確認することができる。【選択図】        図１
2006111432.tif 000002
【特許請求の範囲】
【請求項１】
略逆Ｖ字状の玉掛けワイヤ離間用部材の頂部に、クレーン等のフックへの吊り下げ手段を設け、前記頂部を支点として左右に延設されたアームのなす角度を開閉可能にするとともに、前記左右アームの所要位置に、玉掛けワイヤを挿通する挿通部をそれぞれ設け、
さらに、前記左右アームの所定の高さ位置に、その高さ位置において前記左右アームの外側全周を囲む細長リング状の吊り角度確認用部材を係合させたことを特徴とする玉掛けワイヤの絡み防止装置。
【請求項２】
前記吊り下げ手段は、前記玉掛けワイヤ離間用部材を構成する鋼材を、前記頂部で環状に所要の回数巻き曲げしたものであることを特徴とする請求項１記載の玉掛けワイヤの絡み防止装置。
【請求項３】
前記左右アームの内、何れか一方のアームから離脱しないように、前記吊り角度確認用部材の、前記何れか一方のアームに近接した位置に、仕切部を設けたことを特徴とする請求項１又は２記載の玉掛けワイヤ絡み防止装置。
【発明の詳細な説明】
【技術分野】
【０００１】
本発明は、クレーン、移動式クレーン、デリック、揚貨装置等（以下、これらの吊り装置を総称して「クレーン等」という。）の玉掛け作業において利用される玉掛けワイヤの絡み防止装置に関する。
【背景技術】
【０００２】
建設現場等において、玉掛け作業を行う場合、一対の玉掛けワイヤを掛けたクレーン等のフックをある程度上昇させた状態で、玉掛けワイヤの下端のフックを建材等の吊り荷の位置に合わせ、吊り荷を束ねたロープに掛ける作業が行われている。
【０００３】
ところが、クレーン等のフックに玉掛けワイヤを掛けて、そのフックをある程度上昇させると、図６に示すように、玉掛けワイヤＷ１，Ｗ２同士が、フックＦを支点として近接して回転し、絡み合ってしまうことがある。このように、玉掛けワイヤＷ１，Ｗ２が絡み合った場合、そのまま吊り上げると、吊り荷が回転し、非常に危険である。
【０００４】
そのため、絡み合った玉掛けワイヤは必ず元に戻す必要があるが、その作業は手間であり、作業効率を低下させていた。また、絡みと解きを繰り返していると、玉掛けワイヤにキンクが入り、そのキンクの入った場所が弱点となって玉掛けワイヤの寿命が短くなるという問題もあった。そこで、従来より、玉掛けワイヤの絡みを防止する装置が提案されている。
【特許文献１】実開平１−１６２４７９号公報
【０００５】
具体的には、例えば、上記文献の第１図には、分離治具の両端にリングを取付けた構成の玉掛けワイヤの乱れ防止装置が提案されている。
【発明の開示】
【発明が解決しようとする課題】
【０００６】
しかしながら、上記した従来の装置は、玉掛けワイヤの絡みを防止するという点では、一定の効果があるものの、作業者が、玉掛けワイヤの吊り角度が適正となっているか否かを確認する手段がないため、吊り作業時に危険を伴うことがあった。
【０００７】
すなわち、２点掛けを行う場合、２本の玉掛けワイヤのなす角度（以下、「吊り角度」という。）を広くすると、吊り荷は安定する反面、玉掛けワイヤにかかる張力は大きくなる。そのため、吊り角度は、必要以上に広くするべきではなく、安全基準では、原則として６０°以下とされている。
【０００８】
ところが、通常、作業現場では、一種類の玉掛けワイヤで、サイズの異なる数種類の吊り荷を吊り上げることが多いので、作業者は、比較的大きな吊り荷を吊る際に、吊り角度が広くなり過ぎているのに気付かず、上記した安全基準を超えてしまう場合があったのである。
【０００９】
本発明は、上記した従来の問題点に鑑みてなされたものであり、玉掛けワイヤの絡みを防止できるとともに、玉掛けワイヤの吊り角度が適正か否かを容易に確認することができる装置を提供することを目的としている。
【課題を解決するための手段】
【００１０】
上記の目的を達成するために、本発明の玉掛けワイヤの絡み防止装置は、
略逆Ｖ字状の玉掛けワイヤ離間用部材の頂部に、クレーン等のフックへの吊り下げ手段を設け、前記頂部を支点として左右に延設されたアームのなす角度を開閉可能にするとともに、前記左右アームの所要位置に、玉掛けワイヤを挿通する挿通部をそれぞれ設け、
さらに、前記左右アームの所定の高さ位置に、その高さ位置において前記左右アームの外側全周を囲む細長リング状の吊り角度確認用部材を係合させたこと、
を最も主要な特徴とする。
【発明の効果】
【００１１】
本発明の装置は、上記のような構成を採用したので、玉掛けワイヤ離間用部材をクレーン等のフックに吊り下げた状態で、左右アームの所要位置に設けた挿通部に玉掛けワイヤを挿通すれば、玉掛けワイヤは、挿通部の下方では、一定の間隔を空けた状態で垂下し、互いに近接するのは阻止される。従って、玉掛け作業時に、玉掛けワイヤが絡み合うのを防止することができる。
【００１２】
加えて、本発明の装置は、上記のような構成の吊り角度確認用部材を用いたので、玉掛けワイヤの吊り角度が広くなって、左右アームのなす角度も広くなった場合には、左右アームの所定の高さ位置に係合させた吊り角度確認用部材が、最初の位置よりも上昇する。従って、作業者は、吊り角度確認用部材の位置を目で確認することにより、玉掛けワイヤの吊り角度が安全基準を超えていないかを容易に確認することができる。
【発明を実施するための最良の形態】
【００１３】
本発明の玉掛けワイヤの絡み防止装置は、
略逆Ｖ字状の玉掛けワイヤ離間用部材の頂部に、クレーン等のフックへの吊り下げ手段を設け、前記頂部を支点として左右に延設されたアームのなす角度を開閉可能にするとともに、前記左右アームの所要位置に、玉掛けワイヤを挿通する挿通部をそれぞれ設け、
さらに、前記左右アームの所定の高さ位置に、その高さ位置において前記左右アームの外側全周を囲む細長リング状の吊り角度確認用部材を係合させた構成である。
【００１４】
前記本発明の第１の装置において、挿通部は、左右アームの所要位置に設ければ良く、その取付け位置は特に限定されない。例えば、左右アームの中間の位置に設けたり、端部に設けることができる。また、挿通部は、玉掛けワイヤを挿通する挿通孔を有していれば良く、その形状は任意である。
【００１５】
また、前記本発明の第１の装置において、玉掛けワイヤ離間用部材の頂部に設ける吊り下げ手段の構成は、特に限定するものではなく、所望の構成が採用できる。例えば、玉掛けワイヤ離間用部材の頂部に、鋼製の環状部材を溶接して取付け、その環状部材をクレーン等のフックに直接引っ掛けるようにしても良いし、さらに、チェーンを取付けて、クレーン等のフックに引っ掛けるようにしても良い。
【００１６】
また、前記本発明の第１の装置において、頂部を支点として左右に延設されたアームのなす角度を開閉可能にする手段も、所望の構成が採用できる。例えば、連結ピンを支点として左右アームを開閉自在に連結した構成としても良いし、さらに、その左右アームの間の連結ピンを挟んだ位置に、左右アームを拡開するバネ部材を架設して付勢力を与えても良い。
【００１７】
次に、本発明の第２の装置は、前記本発明の第１の装置において、吊り下げ手段の構成を特定した好適な実施形態である。すなわち、本発明の第２の装置では、玉掛けワイヤ離間用部材を構成する鋼材を、頂部で環状に所要の回数巻き曲げして、吊り下げ手段としている。なお、この場合において、巻き曲げ部のサイズよりも、クレーン等のフックのサイズが大きければ、巻き曲げ部にチェーン又はリングを取付けて、このチェーン又はリングを介してクレーン等のフックに引っ掛けるようにしても良い。
【００１８】
このようにすれば、溶接等の工程を行わなくても、簡単に吊り下げ手段を構成することができるから、製作コストを低減できる。また、鋼材を巻き曲げした部分が巻きバネとして作用するので、一定の範囲で左右アームが開閉可能になるとともに、アームの角度が開閉した時に、元の角度に戻す方向に付勢力を与えることができるので、好適である。すなわち、吊り下げ手段として上記の構成を採用した場合は、左右アームのなす角度を開閉可能にする手段も兼ね備えることになる。
【００１９】
なお、安全基準では、吊り角度は、原則として６０°以下とされているから、本発明の第２の装置では、左右アームのなす角度を、安全基準である６０°以下に設定しておくことが望ましい。
【００２０】
また、前記本発明の第１又は第２の装置において、吊り角度確認用部材を係合させる高さ位置は任意であり、特に限定されない。例えば、左右アームの中間の位置に係合するように、細長リング状の吊り角度確認用部材のサイズを調整しても良いし、左右アームの端部に挿通部を設ける場合には、挿通部のすぐ上の位置に係合させても良い。
【００２１】
次に、本発明の第３の装置は、前記本発明の第１又は第２の装置において、吊り角度確認用部材の、左右アームの何れか一方のアームに近接した位置に、仕切部を設けるようにしたものである。このようにすれば、吊り角度確認用部材が左右アームから離脱することを確実に防止できる。なお、仕切部の構成は、細長リング状の吊り角度確認用部材の所要位置に、例えば仕切材を溶接により取付ける構成でも良いし、細長リング状の吊り角度確認用部材の一方のコーナー部を切除して、その位置にドーナツ状の環状部を取付けるようにしても良い。
【実施例】
【００２２】
以下、本発明の玉掛けワイヤの絡み防止装置を添付図面に示す実施例に基いてさらに詳細に説明する。なお、以下の実施例では、主として本発明の第２又は第３の装置を中心に具体例を説明するが、本発明の構成は、これに限定されるものではない。
図１は、本発明装置の全体構成を説明する図、図２は、本発明装置の各部の拡大図で、（ａ）は頂部に設けた吊り下げ手段の構成を、（ｂ）は、左アーム及び挿通部の構成を、（ｃ）は、右アーム及び挿通部の構成を説明する図、図３は、玉掛けワイヤの吊り角度が６０°の時における本発明装置の使用状態を表した図、図４は、玉掛けワイヤの吊り角度が９０°の時における本発明装置の使用状態を表した図、図５は、玉掛けワイヤの吊り角度が４５°の時における本発明装置の使用状態を表した図である。
【００２３】
先ず、図１及び図２を用いて、本実施例の玉掛けワイヤの絡み防止装置Ｋの構成を説明する。図１に示すように、玉掛けワイヤの絡み防止装置Ｋは、アルファベットの「Ｖ」を上下逆転させたような略逆Ｖ字状の玉掛けワイヤ離間用部材１と、その下端付近に係合させた細長リング状の吊り角度確認用部材２とで構成される。
【００２４】
玉掛けワイヤ離間用部材１は、径７．５ｍｍの鋼材で製作した部材であり、その頂部には、鋼材を環状に２周半巻き曲げした巻き曲げ部１ａ１を設けている。また、巻き曲げ部１ａ１の環の部分には、チェーン１ａ２が取り付けられている。玉掛けワイヤの絡み防止装置Ｋは、この巻き曲げ部１ａ１とチェーン１ａ２を吊り下げ手段１ａとし、チェーン１ａ２をクレーン等のフックに引っ掛けて使用される。
【００２５】
玉掛けワイヤ離間用部材１は、頂部に設けた吊り下げ手段１ａを支点として、左右にアーム１ｂ１，１ｂ２を斜め下方向に延設している。左右アーム１ｂ１，１ｂ２の長さは、６００ｍｍとしている。そして、左右アーム１ｂ１，１ｂ２の端部には、径５０ｍｍの挿通孔を有する挿通部１ｃを、それぞれ設けている。
【００２６】
このようにしたので、チェーン１ｂ２をクレーン等のフックに引っ掛けて、玉掛けワイヤ離間用部材１を吊り下げた状態で、挿通部１ｃに玉掛けワイヤを挿通すれば、玉掛けワイヤは、挿通部１ｃの下方では、一定の間隔を空けた状態で垂下し、互いに近接するのは阻止される。従って、本発明の玉掛けワイヤの絡み防止装置Ｋを用いれば、玉掛け作業時に、玉掛けワイヤが絡み合うのを防止することができるので、玉掛け作業を円滑に行うことができる。
【００２７】
図２の（ａ）は、巻き曲げ部１ａ１の部分を拡大した図である。このようにすれば、溶接等の工程を行わなくても、簡単に吊り下げ手段１ａを構成することができるから、製作コストを低減できる。また、巻き曲げ部１ａ１が巻きバネとして作用するので、一定の範囲で左右アームが開閉可能になる。なお、安全基準では、吊り角度は、原則として６０°以下とされているから、本実施例では、左右アーム１ｂ１，１ｂ２のなす角度θは６０°に設定している。
【００２８】
本実施例では、吊り下げ手段１ａとして、巻き曲げ部１ａ１を用いたので、左右アーム１ｂ１，１ｂ２が開閉した時に、元の角度に戻す方向に付勢力を与えることができる。すなわち、図２（ａ）において、θが６０°を超える状態となる場合は、矢印Ｂ，Ｂ’の方向（内側方向）に付勢力が働き、θが６０°未満の状態となる場合は、矢印Ａ，Ａ’の方向（外側方向）に付勢力が働く。このようにすることにより、本実施例では、安全基準を満たす吊り角度を極力保つことができるので、好適である。
【００２９】
吊り角度確認用部材２は、図１に示すように、細長リング状の部材である。本実施例では、左右アーム１ｂ１，１ｂ２の端部に設けた挿通部１ｃのすぐ上の位置に、その高さ位置において左右アーム１ｂ１，１ｂ２の外側全周を囲むように、細長リング状の吊り角度確認用部材２を係合させている。
【００３０】
また、本実施例では、図１及び図２の（ｃ）に示すように、吊り角度確認用部材２の、右アーム１ｂ２に近接した位置に、仕切部２ｂを設けている。なお、左アーム１ｂ１の側は、図１及び図２（ｂ）に示すように、中心方向に開放されたコーナー部２１となっているので、左アーム１ｂ１の中心方向への移動は拘束されない。
【００３１】
なお、本実施例では、細長リング状の吊り角度確認用部材２の一方のコーナー部を切除して、その位置にドーナツ状の環状部２ａを取付けることにより、仕切部２ｂを設けている。ここで、環状部２ａの孔の径は、挿通部１ｃや巻き曲げ部１ａ１の外径よりも小さいものとしている。従って、本実施例では、仕切部２ｂを含む環状部２ａを設けることによって、吊り角度確認用部材２が玉掛けワイヤ離間用部材１の上方から離脱することを確実に防止できる。
【００３２】
次に、図３〜図５は、玉掛けワイヤの絡み防止装置Ｋの使用状態を示す図である。各図において、Ｗ１，Ｗ２は、玉掛けワイヤを示している。玉掛けワイヤＷ１、Ｗ２の上端部は輪になっており、この輪をクレーン等のフックＦに掛けるようになっている。また、図示しないが、玉掛けワイヤＷ１, Ｗ２の下端部にはフックが取付けられており、そのフックを建材等の吊り荷に掛けることによって、吊り荷を吊り上げるようにしている。
【００３３】
なお、図３〜図５により明らかなように、本発明では、玉掛けワイヤの絡み防止装置Ｋは、チェーン１ａ２によってクレーン等のフックＦに吊り下げるので、その荷重は、フックＦにかかっている。従って、本発明では、玉掛けワイヤの絡み防止装置Ｋの荷重が、玉掛けワイヤＷ１，Ｗ２にかかることはないので、玉掛けワイヤＷ１，Ｗ２を損傷することはない。
【００３４】
先ず、図３は、玉掛けワイヤＷ１, Ｗ２の吊り角度が６０°で、安全基準上、適正な場合を示す図である。この状態では、左右アーム１ｂ１，１ｂ２のなす角度θは殆ど変化しないから、吊り角度確認用部材２は、挿通部１ｃのすぐ上にあり、最初の位置から変化していない。
【００３５】
次に、図４は、大型の吊り荷を吊る場合の使用状態を示している。吊り荷が大型であるため、玉掛けワイヤＷ１, Ｗ２の吊り角度が図３の状態よりも広がり、９０°となっている。このように、吊り角度が広くなると、それに伴って、左右アーム１ｂ１，１ｂ２のなす角度θも広くなる。
【００３６】
そうすると、挿通部１ｃ間の距離が長くなるので、挿通部１ｃのすぐ上の高さ位置に係合させていた吊り角度確認用部材２の位置が、最初の設定位置よりも上昇する。なお、図４中の矢印Ｙは、吊り角度確認用部材２の上方向への移動を示したものである。
【００３７】
本発明は、上記のような構成の吊り角度確認用部材２を用いたので、玉掛けワイヤＷ１，Ｗ２の吊り角度が広くなって、左右アーム１ｂ１，１ｂ２のなす角度θも広くなった場合には、吊り角度確認用部材２が、最初の位置よりも上昇する。従って、吊り作業を行う作業者は、吊り角度確認用部材２の位置を目で確認することにより、玉掛けワイヤＷ１, Ｗ２の吊り角度が安全基準を超えているか否かを視覚的に容易に確認することができる。  
【００３８】
なお、比較的小型の吊り荷の場合には、玉掛けワイヤＷ１, Ｗ２の吊り角度を小さくすることもあるが、本実施例では、吊り角度確認用部材２の左アーム１ｂ１側のコーナー部２１には仕切部２ｂを設けていないので、図５に示すように、左アーム１ｂ１が中心方向に移動することは阻害されない。従って、本発明は、玉掛けワイヤＷ１, Ｗ２の吊り角度が狭くなる場合にも対応できる。
【００３９】
なお、図５中の矢印Ｘは、左アーム１ｂ１の水平方向への移動を示している。このように、玉掛けワイヤＷ１, Ｗ２の吊り角度が狭くなった場合には、それに伴って、左右アーム１ｂ１，１ｂ２のなす角度θも狭くなり、吊り角度確認用部材２の一方の端部が突出したような状態となる。従って、作業者は、吊り角度確認用部材２の端部の状態に注意すれば、玉掛けワイヤＷ１, Ｗ２の吊り角度が狭くなっていることも容易に確認することができる。
【００４０】
以上説明したように、本発明の玉掛けワイヤの絡み防止装置を用いれば、玉掛け作業時に、玉掛けワイヤが絡み合うのを防止できるので、作業効率が向上することに加え、吊り作業時に、玉掛けワイヤの吊り角度を確認することもできるから、作業の安全が確保できるという優れた効果が得られる。
【００４１】
なお、本発明は、実施例に示した構成に限らず、各請求項に記載された技術的思想の範囲内で、適宜実施形態を変更しても良いことは言うまでもない。例えば、吊り角度確認用部材を、玉掛けワイヤ離間用部材に係合させる位置は、玉掛けワイヤの吊り角度を確認できるという同様の作用効果を奏するのであれば、左右アームの中間の高さ位置であっても良い。
【産業上の利用可能性】
【００４２】
本発明の玉掛けワイヤの絡み防止装置は、クレーンだけでなく、デリック、揚貨装置等の玉掛け作業においても利用することができる。
【図面の簡単な説明】
【００４３】
【図１】本発明装置の全体構成を説明する図である。
【図２】本発明装置の各部の拡大図で、（ａ）は頂部に設けた吊り下げ手段の構成を、（ｂ）は、左アーム及び挿通部の構成を、（ｃ）は、右アーム及び挿通部の構成を説明する図である。
【図３】玉掛けワイヤの吊り角度が６０°の時における本発明装置の使用状態を表した図である。
【図４】玉掛けワイヤの吊り角度が９０°の時における本発明装置の使用状態を表した図である。
【図５】玉掛けワイヤの吊り角度が４５°の時における本発明装置の使用状態を表した図である。
【図６】玉掛けワイヤが絡み合った状態を表した図である。
【符号の説明】
【００４４】
１  玉掛けワイヤ離間用部材
１ａ  吊り下げ手段
１ｂ１  左アーム
１ｂ２  右アーム
１ｃ  挿通部
２  吊り角度確認用部材
２ｂ  仕切部
Ｋ  玉掛けワイヤの絡み防止装置
【図１】
2006111432.tif 000003
【図２】
2006111432.tif 000004
【図３】
2006111432.tif 000005
【図４】
2006111432.tif 000006
【図５】
2006111432.tif 000007
【図６】
2006111432.tif 000008